(57)【特許請求の範囲】
【請求項１】
ブラウン管に高圧を供給するフライバックトランスの分割された２次側高圧コイルと、
その各２次側高圧コイルの出力側に直列に接続された複数の高圧整流用ダイオードと、
その高圧整流用ダイオードの最終段ダイオードのカソード側に接続された高圧コンデンサと、
前記フライバックトランスの出力パルスより位相が早いパルスであって、位相、パルス幅、振幅を調整、増幅する逆相パルス制御回路とを備え、
その逆相パルス制御回路により調整、増幅され、かつ偏向ヨーク駆動用水平パルスと逆相のパルスを、前記高圧コンデンサを介して高圧出力電源に重畳するように構成されていることを特徴とするディスプレイモニタ。
【発明の詳細な説明】
【０００１】
【発明の属する技術分野】
本発明は、ブラウン管を用いたディスプレイモニタに係り、更に詳しくは、受像管の表面等から透過される交番電界を低減したディスプレイモニタに関するものである。
【０００２】
【従来の技術】
図４は、一般的なディスプレイモニタの高圧発生トランスであるフライバックトランス（以下、ＦＢＴと略称する）において、外付高圧コンデンサを用いてブラウン管の表面等から透過される交番電界を低減する回路の一例を示したものである。この従来の方式は、米国特許明細書第５，２１８，２７０号に記載されている発明を応用した例である。
【０００３】
同図において、１はＦＢＴ、２は内蔵高圧コンデンサ、３（３ａ，３ｂ，３ｃ，３ｄ）は高圧整流ダイオード、４は３次側の逆パルス発生用巻線、５は外付高圧コンデンサ、６（６ａ，６ｂ，６ｃ，６ｄ）は高圧コイル、７は偏向ヨーク、１５はＦＢＴ１の磁心、１６は水平出力トランジスタ、１７は１次側低圧コイル、１８は波形比較制御器である。
【０００４】
図５は、従来の交番電界低減システムの一例を示した図である。同図において、８は内装黒鉛膜、９は偏向ヨークの静電容量、１０は高圧偏向回路、１１はブラウン管である。このシステムにおいて、内装黒鉛膜８における電荷Ｑ1 は下式で表される。
【０００５】
Ｑ1 ＝Ｋ×ＣDY×ＶDY        （但し、Ｋ≒０．５）
交番電界をキャンセルするための重畳するコイルのパルスｅX は、重畳される電荷Ｑ2 が内装黒鉛膜８における電荷Ｑ1 に等しくなるように選択する。
【０００６】
これは内蔵高圧コンデンサの容量Ｃ1 、ブラウン管容量Ｃ2 、及びパルス波高値ｅP により決定する。内蔵高圧コンデンサの容量Ｃ1 を考慮し、逆パルス発生用コイルの巻数を決め、内装黒鉛膜８に逆パルスｅX を印加重畳することにより、交番電界ＶDY′の振幅は低減される。
【０００７】
図６は、図５の交番電界低減システムの一例を等価的に表した回路図である。同図において、１２はパネル透明導電膜、１３はパネル透明導電膜１２の表面抵抗、１４はパネル透明導電膜１２の容量である。この等価回路では、以下の動作に従って交番電界が低減される。
【０００８】
偏向ヨーク７を駆動する水平パルスＶDY（１０００Ｖｐｐ）が偏向ヨーク７の静電容量９（６０ｐＦ）を介して、ブラウン管１１の内装黒鉛膜８にパルス電圧ＶDY′が生じる。パルス電圧ＶDY′は、パネル透明導電膜容量１４とパネル透明導電膜１２の表面抵抗１３により、インピーダンス分割されたＶP がパネル透明導電膜１２に生じ、交番電界の発生源となっている。
【０００９】
この交番電界を低減する一例を説明する。前述したようにＦＢＴ１の３次側の逆パルス発生用巻線で得られた逆パルスＶF ′（−１５０Ｖｐｐ）を、ＦＢＴ１の外付の高圧コンデンサ５（容量：ＣF ＝２００ｐＦ）を介して、内装黒鉛膜８に印加することにより、内装黒鉛膜８において、パルス電圧ＶDY′が逆パルスＶF ′でキャンセルされ、ブラウン管１１より輻射される交番電界ＶDY′の振幅が低減される。
【００１０】
この関係を式で表すと下記のようになる。
ｋ×ＣDY（６０ｐＦ）×ＶDY（−１０００Ｖｐｐ）＝
−３×１０Ｅ−８［Ｃ］＝
ＣF （２００ｐＦ）×ＶF ′（−１５０Ｖｐｐ）    （但し、ｋ＝０．５）
図７は従来の外付高圧コンデンサの外観図、図８はその高圧コンデンサの内部回路図である。これらの図において、１９はアノードキャップ、２０は高圧コネクタ、２１はグランド端子である。
【００１１】
【発明が解決しようとする課題】
従来の外付高圧コンデンサ５は、図７に示すように高電圧の絶縁を施すため、４０ｍｍ×４０ｍｍ×６５ｍｍ程度の外装ケース及び注型樹脂（エポキシレジン等）が必要となり、高価で、かつディスプレイモニタ内での設置場所の制約があり、構造上、取り扱いが難しいという問題がある。また、高圧接続が必要となるため、高圧接続部（高圧コネクタ２０）の信頼性確保が難しいという欠点を有している。
【００１２】
本発明の目的は、交番電界を低減できるディスプレイモニタを提供することにある。
【００１３】
【課題を解決するための手段】
前記目的を達成するため本発明は、その高圧整流用ダイオードの最終段ダイオードのカソード側に接続された高圧コンデンサと、前記フライバックトランスの出力パルスより位相が早いパルスであって、位相、パルス幅、振幅を調整、増幅する逆相パルス制御回路とを備えている。
【００１４】
そしてその逆相パルス制御回路により調整、増幅され、かつ偏向ヨーク駆動用水平パルスと逆相のパルスを、前記高圧コンデンサを介して高圧出力電源に重畳することにより、ブラウン管から輻射される交番電界を低下するようにしたものである。
【００１５】
【発明の実施の形態】
本発明は前述のように、偏向ヨーク駆動用水平パルスと逆相のパルスであり、フライバックパルスより位相が早く、位相、パルス幅、振幅が逆相パルス制御回路により最適化されたパルスを、フライバックトランス内蔵の高圧コンデンサを介して高圧出力電源に重畳することにより、交番電界の振幅を低減している。
【００１６】
以下、本発明の実施の形態を図面に基づいて説明する。図１は一実施の形態に係るＦＢＴ周辺の回路図である。
【００１７】
ＣＲＴに高圧を供給するＦＢＴ１の多分割された高圧コイル６ａ〜６ｄの出力側にそれぞれ高圧整流ダイオード３ａ〜３ｄを接続する他に、ブラウン管容量補正の内蔵並列型高圧コンデンサ２（Ｃ４），２４（Ｃ５）を接続する。この一方のコンデンサ２４の低圧側端に、ＦＢＴパルスより位相の早い入力信号の位相、及びパルス幅を調整し、ＦＢＴパルスと同相の方形波を作るワンショット回路２１と、方形波を近似的に正弦波へ変換する積分回路２２と、最適振幅の逆相パルスを作る増幅回路２３が接続されている。このワンショット回路２１、積分回路２２、増幅回路２３により逆相パルス制御回路が構成される。
【００１８】
図２は逆相パルス制御回路の詳細図、図３は逆相パルス制御回路を構成しているワンショット回路２１、積分回路２２、増幅回路２３の各ポイントにおける動作波形図である。
【００１９】
図２において、２５は第１のワンショットＩＣ（ＩＣ１）、２６は第２のワンショットＩＣ（ＩＣ２）、２７は位相調整用コンデンサ（Ｃ１）、２８は位相調整用可変抵抗（Ｒ１）、２９はパルス幅調整用コンデンサ（Ｃ２）、３０はパルス幅調整用可変抵抗（Ｒ２）、３１は正弦波変換用抵抗（Ｒ３）、３２は正弦波変換用コンデンサ（Ｃ３）、３３は第１の増幅用トランジスタ（Ｑ１）、３４は第２の増幅用トランジスタ（Ｑ２）、３５は第１の振幅調整用抵抗（Ｒ４）、３６は第２の振幅調整用抵抗（Ｒ５）である。
【００２０】
図２において、図３の（１）波形に示すＦＢＴパルスより早い位相の水平同期信号をワンショットＩＣ２５（ＩＣ１）のＢ端子へ入力する。このＩＣ１によりポジティブエッジトリガがかかり、図３の（２）波形に示す０．７×Ｃ１×Ｒ１のパルス幅を有する方形波パルスが出力される。
【００２１】
この出力波形におけるパルス幅は、入力信号と逆相パルスの位相シフト調整分になる。従って、０．７×Ｃ１×Ｒ１のＲ１を可変抵抗とすることで位相シフト量が調整できる。
【００２２】
ワンショットＩＣ２６（ＩＣ２）によりネガティブエッジトリガがかかり、ＩＣ１より入力された方形波パルスは図３の（３）波形に示す０．７×Ｃ２×Ｒ２のパルス幅で方形波パルスが出力される。
【００２３】
ＩＣ２により出力された波形は、正弦波変換用コンデンサＣ３、正弦波変換用抵抗Ｒ３の積分回路により近似的に正弦波に変換され、図３の（４）波形に示すパルス波形となる。
【００２４】
この（４）波形に示されたパルスの振幅は増幅用トランジスタＱ１，Ｑ２で増幅され、（５）波形に示されるパルス波形となる。
この出力波形における振幅は、
｛＋Ｂ２−ＶCE（ｓａｔ）｝×Ｒ５／（Ｒ４＋Ｒ５）
で表され、式中のＲ４を可変抵抗にすることで振幅が調整できる。
【００２５】
この逆相パルス制御回路により調整、増幅した逆相パルスを、ＦＢＴ内蔵並列型高圧コンデンサ２４の低圧側から入力し、高圧出力電源に重畳することにより、ブラウン管１１の内装黒鉛膜８において、誘起している偏向ヨークの水平パルスがキャンセルされ、交番電界の振幅が低減される。
【００２６】
ブラウン管は構造上において限界の容量があり、ＦＢＴ内蔵並列型高圧コンデンサ２は、ブラウン管容量を補正するためにＦＢＴ１に内蔵される。この容量（ブラウン管容量＋高圧コンデンサ容量）は、高圧の安定化を図るためのもので、この高圧容量が少ないと、ブラウン管の画面上でくねり等の現象を引き起こす原因となる。
【００２７】
ＦＢＴ内蔵並列型高圧コンデンサ２，２４の一方の、逆相パルスを入力するコンデンサ２４の容量を変えることでも、高圧出力電源に重畳する逆パルスの波高値を調整できる。容量を大きくするとパルスの波高値は高くなり、容量を小さくすると波高値は低くなる。
【００２８】
ＣＲＴに高圧を供給するＦＢＴと分離してモニタ駆動メイン基板の一部の逆相パルス制御回路は、ＦＢＴ１と一体として内蔵して、システムを構成することも可能である。
【００２９】
本発明の実施形態によれば、ＣＲＴに高圧を供給するフライバックトランスの内蔵並列型高圧コンデンサ２，２４の一方のコンデンサ２４を介して、位相、パルス幅、振幅を逆相パルス制御回路により調整し、交番電界と等価的に同一振幅となる逆相パルスを高圧出力電源に重畳することにより、ブラウン管の内装黒鉛膜８に誘起している偏向ヨークの水平パルスがキャンセルできる。
【００３０】
【発明の効果】
以上説明したように本発明によれば、フライバックトランスの出力パルスより位相が早いパルスであって、位相、パルス幅、振幅を調整、増幅した逆相パルスを高圧出力電源に重畳することにより、ブラウン管の内装黒鉛膜に誘起している偏向ヨークの水平パルスがキャンセルできる。
【図面の簡単な説明】
【図１】本発明の実施の形態に係るＣＲＴに高圧を供給するフライバックトランス周辺の回路図である。
【図２】この実施の形態に係るディスプレイモニタに使用する逆相パルス制御回路図である。
【図３】その逆相パルス制御回路の各ポイントにおける動作波形図である。
【図４】従来の交番電界低減のＣＲＴに高圧を供給するフライバックトランスの回路図である。
【図５】従来の交番電界低減のシステムを示す図である。
【図６】その交番電界低減の等価回路図である。
【図７】従来使用されていた外付高圧コンデンサの外観図である。
【図８】その外付高圧コンデンサの内部回路図である。
【符号の説明】
１  フライバックトランス（ＦＢＴ）
２  内蔵高圧コンデンサ
３ａ〜３ｄ  高圧整流ダイオード
６ａ〜６ｄ  高圧コイル
１５  フライバックトランス磁心
１６  水平出力トランジスタ
２１  ワンショット回路
２２  積分回路
２３  増幅回路
２４  内蔵並列高圧コンデンサ
２５  ワンショットＩＣ
２６  ワンショットＩＣ
２７  位相調整用コンデンサ
２８  位相調整用可変抵抗
２９  パルス幅調整用コンデンサ
３０  パルス幅調整用可変抵抗
３１  正弦波変換用抵抗
３２  正弦波変換用コンデンサ
３３  増幅用トランジスタ
３４  増幅用トランジスタ
３５  振幅調整用抵抗
３６  振幅調整用抵抗
【図１】
0003749770.tif 000002
【図２】
0003749770.tif 000003
【図３】
0003749770.tif 000004
【図４】
0003749770.tif 000005
【図５】
0003749770.tif 000006
【図６】
0003749770.tif 000007
【図７】
0003749770.tif 000008
【図８】
0003749770.tif 000009